(57)【要約】【課題】取付部品の固定による外形構成部の破損を生じさせないようにして、外形構成部の再使用性を高めることを目的とする。【解決手段】パチンコ機１は、外形構成部としての外枠２と、その前部に設けられた前面枠３とを備え、その前面側にはガラス扉枠４が設けられ、その奥には遊技盤５が配設されている。そして、外枠２の一側部にて前面枠３は取付部品を介して開閉可能に支持されることを前提とし、特に、外枠２の取付部に形成される螺着手段が貫通する貫通孔を、螺着手段の外径よりも大きくした。すなわち、外枠２には、雌ねじを一切形成しないようにする。【選択図】      図１
2004344457.tif 000002
【特許請求の範囲】
【請求項１】
遊技機設置場所に設置固定される外形構成部と、該外形構成部に取付部品を介して取り付けられる遊技構成部とを備えた遊技機において、
前記外形構成部には、前記取付部品を固定するための螺着手段が貫通する貫通孔が形成されており、当該貫通孔は、前記螺着手段の外径よりも大きくなっていることを特徴とする遊技機。
【発明の詳細な説明】
【０００１】
【発明の属する技術分野】
本発明は、パチンコ遊技機等の遊技機に関するものである。
【０００２】
【従来の技術】
従来、例えばパチンコ機やスロットマシンなどの遊技機は、ホールに設置される際、遊技機設置場所（いわゆる島）に固定される。この場合、遊技機の外形を構成する外形構成部が、釘などによって遊技機設置場所に打ち付けられるのが一般的である。そして、この外形構成部の多くは、木製の部材などで構成されている。パチンコ遊技機を一例として挙げれば、外形構成部としての外枠は木製の枠板を左右上下に配置して長方形の枠体に構成するようにしている。
【０００３】
このような外形構成部に対しては、遊技構成部が取付部品を介して取り付けられる。例えば、パチンコ機であれば、外枠に対し、ヒンジを介して内枠が取り付けられるという具合である（例えば、特許文献１等）。
【０００４】
【特許文献１】
特開２００３−１０２９４６号公報
【０００５】
【発明が解決しようとする課題】
ところが、ヒンジなどの取付部品を外形構成部に固定するに際し、例えば、タッピンねじを用いたり、あるいは、外形構成部に雌ねじを予め形成したりすると、取付部品に作用する荷重や取付部品の交換などによって、外形構成部のねじ孔が破損するおそれがある。その結果、外形構成部の再使用性が低くなっていた。
【０００６】
本発明は、取付部品の固定による外形構成部の破損を生じさせないようにして、外形構成部の再使用性を高めることを目的とする。
【０００７】
【課題を解決するための手段及び発明の効果】
上記の目的を達成するために有効な手段を以下に示す。なお、必要に応じてその作用、効果等についても言及する。
【０００８】
手段１．遊技機設置場所に設置固定される外形構成部と、該外形構成部に取付部品を介して取り付けられる遊技構成部とを備えた遊技機において、
前記外形構成部には、前記取付部品を固定するための螺着手段が貫通する貫通孔が形成されており、当該貫通孔は、前記螺着手段の外径よりも大きくなっていることを特徴とする遊技機。
【０００９】
手段１によれば、遊技機が、外形構成部と、取付部品を介して外形構成部に取り付けられる遊技構成部とを備えている。遊技構成部は、例えば、遊技機の本体部を含む主要構成部分であることが考えられる。また例えば、遊技機の本体部とは別の操作部を含む扉体であることが考えられる。以下の手段でも同様とする。
【００１０】
ここで特に、外形構成部には取付部品を固定するための螺着手段が貫通する貫通孔が形成されているが、当該貫通孔が螺着手段の外径よりも大きくなっている。ここで、螺着手段の外径とは、例えばねじの外径であり、ねじの山の頂に接する仮想的な円筒又は円錐の直径をいう（以下の手段でも同様）。
【００１１】
つまり、外形構成部の貫通孔には雌ねじが形成されていない。したがって、取付部品に作用する荷重や取付部品の交換などによって、外形構成部の貫通孔が破損する（例えば貫通孔に雌ねじが形成された場合に、その雌ねじのねじ山のひっかかりが小さくなる）ことがなく、外形構成部の再使用性が高まる。
【００１２】
手段２．手段１において、前記外形構成部に設けられた取付部に前記貫通孔が形成されており、
前記取付部品の中には、前記貫通孔を貫通する前記螺着手段により、前記取付部を挟み込むようにして前記外形構成部に固定されるものが含まれていることを特徴とする遊技機。
【００１３】
手段２によれば、取付部品の中に、貫通孔を貫通する螺着手段により、取付部を挟み込むようにして外形構成部に固定されるものが含まれている。上述したように外形構成部には雌ねじが形成されていないため、例えば、螺着手段に対応するナットや雌ねじの形成された止め板具などを用いて取付部を挟み込んで固定するという具合である。これによって、外形構成部の貫通孔が破損することがなく、外形構成部の再使用性が高まる。なお、ナットや止め板具を用いることに限定されず、取付部品自体に雌ねじを形成しておき、取付部品と螺着手段とによって外形構成部の取付部が挟み込まれるようにしてもよい。この場合、部品点数が少なくなるという点で有利である。
【００１４】
手段３．手段１又は２において、前記貫通孔の中には、所定方向に長い長孔であるものが含まれており、前記所定方向における取付部品の固定位置を調節可能になっていることを特徴とする遊技機。
【００１５】
手段３によれば、上述した貫通孔の中に、所定方向に長い長孔であるものが含まれており、所定方向における取付部品の固定位置を調節可能になっている。したがって、遊技構成部の仕様（例えば、取付部分の位置など）が変わっても、取付部品の固定位置をずらすことにより対応できる可能性が高く、外形構成部の再使用性が高まる。
【００１６】
手段４．手段１乃至３のいずれかにおいて、前記外形構成部には前記遊技機設置場所に設置固定するための固定孔が設けられていることを特徴とする遊技機。
【００１７】
手段４によれば、外形構成部に遊技機設置場所に設置固定するための固定孔が設けられているため、例えば木製にした場合と異なり、外形構成部の適当な場所に孔があけられるというようなことがなく、外形構成部の再使用性が高まる。
【００１８】
手段５．手段４において、前記外形構成部には、前記固定孔を貫通する釘によって前記遊技機設置場所に設置固定可能となるように、前記釘の径に合わせて前記固定孔が形成されていることを特徴とする遊技機。
【００１９】
手段５によれば、上述した固定孔を貫通する釘によって、外形構成部が遊技機設置場所に設置固定可能となるように、釘の径に対応する固定孔が形成されているため、遊技機設置場所への設置固定が簡単になる。
【００２０】
手段６．手段５において、前記固定孔は、設置固定のための釘の径よりも僅かに大きくなっていることを特徴とする遊技機。
【００２１】
手段６によれば、釘の貫通する固定孔が釘の径よりも僅かに大きくなっている。この場合、釘を最後まで打ち込むことによって外枠を遊技機設置場所に対し設置固定することが考えられる。このようにすれば、打ち込まれる釘によって固定孔が押し広げられる可能性が小さいため、外形構成部を損傷させることが少なく、外形構成部の再使用性を高めることができる。
【００２２】
手段７．手段５において、前記固定孔は、設置固定のための釘の径よりも僅かに小さくなっていることを特徴とする遊技機。
【００２３】
手段７によれば、釘の貫通する固定孔が釘の径よりも僅かに小さくなっている。この場合、釘を最後まで打ち込まずとも、外枠を遊技機設置場所に対し設置固定することが可能となり、遊技機設置場所への設置固定が簡単になる。
【００２４】
手段８．手段１乃至７のいずれかにおいて、前記外形構成部は、金属製であることを特徴とする遊技機。
【００２５】
手段８によれば、外形構成部が金属製であるため、例えば木製である場合に比べ、耐久年数が長くなり、外形構成部の再使用性が高まる。また、金属製とすれば、比較的肉薄にできるため、外形構成部の内側空間を有効利用できる。
【００２６】
手段９．手段８において、前記金属に、アルミニウム合金を採用したことを特徴とする遊技機。
【００２７】
手段９では外形構成部をアルミニウム合金で構成したため、耐久年数が長くなることに加え、木製にした場合と比べ、同様の強度を有する外形構成部であっても、その重量が小さくなり、設置固定などの作業性が向上する点で有利である。
【００２８】
手段１０．遊技領域を有する遊技盤と、該遊技盤が配設される内枠と、該内枠を取付部品を介して開閉可能に支持し、遊技機設置場所に固定される略方形枠状の外枠とを備えた遊技機において、
前記外枠には、前記取付部品を固定するための螺着手段が貫通する貫通孔が形成されており、当該貫通孔は、前記螺着手段の外径よりも大きくなっていることを特徴とする遊技機。
【００２９】
手段１０では、遊技領域を有する遊技盤、遊技盤が配設される内枠、及び、内枠を取付部品を介して開閉可能に支持する外枠を備えた遊技機を前提とする。外枠は、遊技機設置場所に固定され、略方形枠状をなしており、上述した外形構成部の一態様である。この場合、遊技盤の配設された内枠が、主要構成部分であり、上述した遊技構成部の一態様である。
【００３０】
ここで特に、外枠には取付部品を固定するための螺着手段が貫通する貫通孔が形成されているが、当該貫通孔が螺着手段の外径よりも大きくなっている。
【００３１】
つまり、外枠の貫通孔には雌ねじが形成されていない。したがって、取付部品に作用する荷重や取付部品の交換などによって、外枠の貫通孔が破損する（例えば、貫通孔に雌ねじが形成された場合に、その雌ねじのねじ山のひっかかりが小さくなる）ことがなく、外枠の再使用性が高まる。
【００３２】
手段１１．手段１０において、前記遊技盤には、液晶表示装置が配設されていることを特徴とする遊技機。
【００３３】
手段１１によれば、遊技盤に液晶表示装置が配置されている。近年、液晶表示装置は、８インチ、９インチというように大型化される傾向にあり、その分、遊技盤の重量が大きくなるおそれがある。この点、本発明では、外枠の破損を防止でき、外枠の再使用性を高めることができるため、このような構成において、その効果が際立つ。
【００３４】
手段１２．手段１１において、前記遊技領域を大きくするために、前記遊技盤を大型化したことを特徴とする遊技機。
【００３５】
上述した液晶表示装置の大型化が一因となって、手段１２では、遊技領域を大きくするために遊技盤が大型化されている。そのため、役物などが大型化するおそれがあり、結果的に遊技盤の重量が大きくなるおそれがあった。この点、本発明では、外枠の破損を防止でき、外枠の再使用性を高めることができるため、このような構成において、その効果が際立つ。
【００３６】
手段１３．手段１０乃至１２のいずれかにおいて、前記内枠は、制御や電力供給のための基板を備えていることを特徴とする遊技機。
【００３７】
近年、遊技内容の複雑化や多様化に伴い、制御や電力供給のための基板が増加する傾向にある。そのため、手段１３に示す構成では、内枠の重量が増加し、取付部品に作用する荷重が大きくなっている。この点、本発明では、外枠の破損を防止でき、外枠の再使用性を高めることができるため、このような構成において、その効果が際立つ。
【００３８】
手段１４．手段１３において、前記内枠は、前記制御のための複数の制御基板を備えていることを特徴とする遊技機。
【００３９】
例えば手段１４に示すように、内枠は制御のための複数の制御基板を備えていることが考えられる。このような場合においても、本発明の効果が際立つ。
【００４０】
手段１５．手段１４において、前記制御基板には、主基板、表示制御基板、音声制御基板、ランプ制御基板、及び発射制御基板のうちの少なくとも一つが含まれていることを特徴とする遊技機。
【００４１】
さらに具体的には、手段１５に示すように、主基板、表示制御基板、音声制御基板、ランプ制御基板、発射制御基板などを有することが考えられる。このように各種の制御基板を備えることを前提とすれば、本発明の効果が際立つ。
【００４２】
手段１６．手段１３乃至１５のいずれかにおいて、前記内枠は、前記電力供給のための電源基板を備えていることを特徴とする遊技機。
【００４３】
また、手段１６に示すように、内枠は、電源基板を備えていることが考えられる。電源基板は、制御基板を含め、各所への電力供給を行うための構成である。電源基板を備える構成にあっては、その重量が増加するため、本発明の効果が際立つ。
【００４４】
手段１７．手段１６において、前記電源基板は、バックアップ機能を有するものであることを特徴とする遊技機。
【００４５】
さらに、上述した電源基板は、手段１７に示すようにバックアップ機能を有するものであることが考えられる。この場合、バックアップのためのコンデンサといった構成が必要となり、さらなる重量増加を招くことが考えられる。したがって、本発明の効果が際立つ。
【００４６】
手段１８．手段１０乃至１７のいずれかにおいて、前記内枠は、遊技球を貯留する遊技球貯蔵部や遊技球を案内する遊技球案内部を背面側に備えていることを特徴とする遊技機。
【００４７】
手段１８によれば、前記内枠が、遊技球貯蔵部・遊技球案内部を備えている。これは、遊技球の払出及び貸出を実現するための機構であり、遊技球が貯留された状態では相当な重量となる。この点、本発明では、外枠の貫通孔には雌ねじが形成されていない。したがって、取付部品に作用する荷重によって、外枠の貫通孔が破損する（例えば、貫通孔に雌ねじが形成された場合に、その雌ねじのねじ山のひっかかりが小さくなる）ことがなく、外枠の再使用性が高まる。すなわち、このような構成において、本発明は大きな効果を奏する。
【００４８】
手段１９．手段１８において、前記遊技球貯蔵部や前記遊技球案内部は、所定数以上の遊技球が貯留可能な容積を有するものであることを特徴とする遊技機。
【００４９】
手段１９によれば、遊技球貯蔵部や遊技球案内部に所定数以上の遊技球が貯留可能となっている。ここでいう「所定数」は、遊技球貯蔵部に貯留可能な遊技球の個数としてもよいし、遊技球貯蔵部と遊技球案内部を併せての遊技球の個数としてもよい。また、「所定数以上は２００個以上であること」としてもよいし、「所定数以上は４００個以上であること」としてもよいし、「所定数以上は６００個以上であること」としてもよいし、「所定数以上は８００個以上であること」としてもよい。以下の手段でも同様とする。
【００５０】
このような大型の遊技球貯蔵部や遊技球案内部を備える構成では、特に、本発明が大きな効果を奏する。
【００５１】
手段２０．手段１０乃至１９のいずれかにおいて、前記内枠は、遊技球の玉詰まりを防止するための振動発生機構を備えていることを特徴とする遊技機。
【００５２】
手段２０によれば、前記内枠が振動発生機構を備えている。これは、例えば大型の遊技球貯蔵部や遊技球案内部を備える構成において、玉詰まりを防止するという点で有用な構成である。このような振動発生機構を備える構成では、内枠の重量が大きくなるため、本発明の効果が際立つ。
【００５３】
手段２１．手段１０乃至２０のいずれかにおいて、前記内枠は、遊技球を貯留する貯留手段を前面側に備えていることを特徴とする遊技機。
【００５４】
手段２１によれば、内枠が貯留手段を備えている。例えば、貯留手段は、発射装置へ遊技球を案内するように底面の傾斜した上皿や、上皿に貯留できない遊技球やファール球などが戻される下皿として具現化される。
【００５５】
このような貯留手段に遊技球が貯留された状態において、内枠は、相当な重量となる。この点、本発明では、外枠の貫通孔には雌ねじが形成されていない。したがって、取付部品に作用する荷重によって、外枠の貫通孔が破損する（例えば、貫通孔に雌ねじが形成された場合に、その雌ねじのねじ山のひっかかりが小さくなる）ことがなく、外枠の再使用性が高まる。すなわち、このような構成において、本発明は大きな効果を奏する。
【００５６】
手段２２．手段２１において、前記貯留手段は、複数の装飾用発光ダイオードを有していることを特徴とする遊技機。
【００５７】
手段２２によれば、貯留手段が複数の装飾用発光ダイオードを有している。このような構成では、さらに、貯留手段の重量が増加するため、本発明の効果が際立つ。
【００５８】
手段２３．手段２１又は２２において、前記貯留手段は、所定数以上の遊技球が貯留可能な容積を有するものであることを特徴とする遊技機。
【００５９】
手段２３では、貯留手段に所定数以上の遊技球が貯留可能になっている。ここで「所定数以上は２００個以上であること」としてもよいし、「所定数以上は４００個以上であること」としてもよいし、「所定数以上は６００個以上であること」としてもよいし、「所定数以上は８００個以上であること」としてもよい。以下の手段でも同様とする。
【００６０】
このような大型の貯留手段を備える構成では、特に、本発明が大きな効果を奏する。
【００６１】
手段２４．手段１０乃至１２のいずれかにおいて、前記内枠は、少なくとも開状態において、支持端縁部を上下方向から支持されるよう構成されていることを特徴とする遊技機。
【００６２】
手段２４によれば、内枠は、支持端縁部を上下方向から支持される。例えば外枠に取り付けられるヒンジなどの取付部品で支持されるという具合である。ここで「少なくとも開状態において」としたのは、閉状態においては、外枠の内側底辺部分でも支持される可能性があるためである。
【００６３】
つまり、このような構成では、少なくとも開状態にあっては、外枠に取り付けられた取付部品によって内枠の支持端縁部が２点支持されるのである。したがって、２つの取付部品に対し、内枠の荷重が作用することになる。この点、本発明では、外枠の貫通孔には雌ねじが形成されていない。したがって、取付部品に作用する荷重によって、外枠の貫通孔が破損する（例えば、貫通孔に雌ねじが形成された場合に、その雌ねじのねじ山のひっかかりが小さくなる）ことがなく、外枠の再使用性が高まる。すなわち、このような構成において、本発明は大きな効果を奏する。
【００６４】
手段２５．手段１０乃至１２のいずれかにおいて、前記内枠は、開状態において、支持端縁部を上下方向から支持され、一方、閉状態においてはさらに、前記内枠の開閉を容易にするよう前記内枠の下端部を摺動可能に支持するために前記外枠に固定された支持部材によって、内枠底面部分を支持されるよう構成されていることを特徴とする遊技機。
【００６５】
この場合も、少なくとも開状態にあっては、外枠に取り付けられた取付部品によって内枠の支持端縁部が２点支持される。したがって、２つの取付部品に対し、内枠の荷重が作用することになる。この点、本発明では、外枠の貫通孔には雌ねじが形成されていない。したがって、取付部品に作用する荷重によって、外枠の貫通孔が破損する（例えば、貫通孔に雌ねじが形成された場合に、その雌ねじのねじ山のひっかかりが小さくなる）ことがなく、外枠の再使用性が高まる。すなわち、このような構成において、本発明は大きな効果を奏する。
【００６６】
手段２６．手段２４又は２５において、前記内枠は、中心位置よりも前記支持端縁部から離間する側に重心を有していることを特徴とする遊技機。
【００６７】
手段２６では、内枠が、中心位置よりも支持端縁部から離間する側に重心を有している。パチンコ遊技機を一例として挙げれば、遊技者側から見て左側方部が外枠に支持されており、右寄りに内枠の重心が存在するという具合である。このような構成においては特に、取付部品に作用する荷重が大きなものとなり、取付部品を破損するおそれが高い。この点、本発明では、外枠の貫通孔には雌ねじが形成されていない。したがって、取付部品に作用する荷重によって、外枠の貫通孔が破損する（例えば、貫通孔に雌ねじが形成された場合に、その雌ねじのねじ山のひっかかりが小さくなる）ことがなく、外枠の再使用性が高まる。すなわち、このような構成において、本発明は大きな効果を奏する。
【００６８】
手段２７．手段２６において、前記内枠は、制御や電力供給のための基板を備えており、当該基板の中には、前記中心位置よりも前記支持端縁部から離間する側に配置されるものが含まれていることを特徴とする遊技機。
【００６９】
近年、遊技内容の複雑化や多様化に伴い制御や電力供給のための基板が増加する傾向にあるが、例えば手段２６に示すように、当該基板の中に、内枠の中心位置よりも、支持される支持端縁部から離間する側に配置されるものが含まれていることが考えられる。このような構成においても、本発明は、極めて大きな効果を奏する。
【００７０】
手段２８．手段２７において、前記内枠は、前記制御のための複数の制御基板を備えており、当該制御基板の中には、前記中心位置よりも前記支持端縁部から離間する側に配置されるものが含まれていることを特徴とする遊技機。
【００７１】
例えば手段２８に示すように、内枠は制御のための複数の制御基板を備えていることが考えられ、当該制御基板の中に、中心位置よりも支持端縁部から離間する側に配置されるものが含まれていることが考えられる。このような場合においても、本発明の効果が際立つ。
【００７２】
手段２９．手段２８において、前記制御基板には、主基板、表示制御基板、音声制御基板、ランプ制御基板、及び発射制御基板のうちの少なくとも一つが含まれており、さらに当該制御基板が前記中心位置よりも前記支持端縁部から離間する側に配置されていることを特徴とする遊技機。
【００７３】
さらに具体的には、手段２９に示すように、主基板、表示制御基板、音声制御基板、ランプ制御基板、発射制御基板などを有しており、さらに当該制御基板が、中心位置よりも支持端縁部から離間する側に配置されていることが考えられる。このように各種の制御基板の配置位置が様々に変化しても、本発明の効果が際立つ。
【００７４】
手段３０．手段２７乃至２９のいずれかにおいて、前記内枠は、前記電力供給のための電源基板を備えており、前記電源基板が、前記中心位置よりも前記支持端縁部から離間する側に配置されていることを特徴とする遊技機。
【００７５】
また、手段３０に示すように、内枠は、電源基板を備えていることが考えられる。電源基板は、制御基板を含め、各所への電力供給を行うための構成である。ここで特に、電源基板が、中心位置よりも支持端縁部から離間する側に配置されている。このように電源基板の偏った配置がなされた場合は特に、本発明の効果が際立つ。
【００７６】
手段３１．手段３０において、前記電源基板は、バックアップ機能を有するものであることを特徴とする遊技機。
【００７７】
さらに、上述した電源基板は、手段３１に示すようにバックアップ機能を有するものであることが考えられる。この場合、バックアップのためのコンデンサといった構成が必要となり、さらに取付部品へ作用する荷重が大きくなる。したがって、本発明の効果が際立つ。
【００７８】
手段３２．手段２６乃至３１のいずれかにおいて、前記内枠は、前記遊技盤の背面側に遊技球を貯留する遊技球貯蔵部や遊技球を案内する遊技球案内部を備えており、前記遊技球貯蔵部や前記遊技球案内部に遊技球が貯留された状態において、当該重心位置が、前記中心位置よりも前記支持端縁部から離間する側に位置することを特徴とする遊技機。
【００７９】
手段３２によれば、前記内枠が、遊技球貯蔵部・遊技球案内部を備えている。これは、遊技球の払出及び貸出を実現するための機構であり、それぞれタンク・タンクレールとして具現化することが考えられるが、遊技球が貯留された状態では相当な重量となる。しかも、遊技球が貯留された状態における遊技球貯蔵部や遊技球案内部の重心位置が、中心位置よりも支持端縁部から離間する側に位置する。このような構成では、特に、本発明が大きな効果を奏する。
【００８０】
手段３３．手段３２において、前記遊技球貯蔵部や前記遊技球案内部は、所定数以上の遊技球が貯留可能な容積を有するものであることを特徴とする遊技機。
【００８１】
手段３３によれば、遊技球貯蔵部や遊技球案内部に所定数以上の遊技球が貯留可能となっている。このような大型の遊技球貯蔵部や遊技球案内部を備える構成では、特に、本発明が大きな効果を奏する。
【００８２】
手段３４．手段２６乃至３３のいずれかにおいて、前記内枠は、遊技球の玉詰まりを防止するための振動発生機構を備えており、当該振動発生機構が、前記中心位置よりも前記支持端縁部から離間する側に配置されていることを特徴とする遊技機。
【００８３】
手段３４によれば、前記内枠が振動発生機構を備えている。これは、例えば大型の遊技球貯蔵部や遊技球案内部を備える構成において、玉詰まりを防止するという点で有用な構成である。しかも、振動発生機構が、中心位置よりも支持端縁部から離間する側に配置されている。そのため、取付部品に作用する荷重が大きくなり、本発明の効果が際立つ。
【００８４】
手段３５．手段２６乃至３４のいずれかにおいて、前記内枠は、遊技球を貯留する貯留手段を前面側に備えており、前記貯留手段に遊技球が貯留された状態において、当該重心位置が、前記中心位置よりも前記支持端縁部から離間する側に位置することを特徴とする遊技機。
【００８５】
手段３５によれば、内枠が貯留手段を備えている。このような貯留手段に遊技球が貯留された状態において、内枠は、相当な重量となる。そしてさらに、この状態において、当該重心位置が、中心位置よりも支持端縁部から離間する側に位置する。このような構成では特に、本発明が大きな効果を奏する。
【００８６】
手段３６．手段３５において、前記内枠は、遊技球を貯留する貯留手段を前面側に備えており、前記貯留手段は、複数の装飾用発光ダイオードを有していることを特徴とする遊技機。
【００８７】
手段３６によれば、貯留手段が複数の装飾用発光ダイオードを有している。このような構成では、さらに、貯留手段の重量が増加するため、本発明の効果が際立つ。
【００８８】
手段３７．手段３６において、前記内枠は、遊技球を貯留する貯留手段を前面側に備えており、前記貯留手段は、所定数以上の遊技球が貯留可能となる容積を有するものであることを特徴とする遊技機。
【００８９】
手段３７では、貯留手段に所定数以上の遊技球が貯留可能となっている。このような大型の貯留手段を備える構成では、特に、本発明が大きな効果を奏する。
【００９０】
手段３８．手段２６乃至３７のいずれかにおいて、前記内枠は、前記遊技領域に遊技球を発射するための発射ユニットを備えており、当該発射ユニットが、前記中心位置よりも前記支持端縁部から離間する側に配置されていることを特徴とする遊技機。
【００９１】
手段３８によれば、内枠が発射ユニットを備え、当該発射ユニットが、中心位置よりも支持端縁部から離間する側に配置されている。このような構成においても、本発明の効果が際立つ。
【００９２】
手段３９．手段２６乃至３８のいずれかにおいて、前記内枠は、開放を規制するための鍵ユニットを備えており、当該鍵ユニットが、前記中心位置よりも前記支持端縁部から離間する側に配置されていることを特徴とする遊技機。
【００９３】
手段３９によれば、内枠が鍵ユニットを備えている。例えばパチンコ遊技機を例に挙げれば、外枠に対する前面枠の開放や、前面枠に対するガラス扉枠の開放を規制するために用いられる。そして、当該鍵ユニットが、中心位置よりも支持端縁部から離間する側に配置されている。このような構成においても、本発明の効果が際立つ。
【００９４】
手段４０．手段３９において、前記鍵ユニットは、前記外枠に支持される前記支持端縁部とは反対側の開閉端縁部に沿って配置されていることを特徴とする遊技機。
【００９５】
例えばパチンコ遊技機を例に挙げれば、手段４０に示すように、鍵ユニットは、支持端縁部とは反対側の開閉端縁部に沿って配置されることが考えられる。そのため、取付部品に作用する荷重が大きくなる。したがって、本発明が大きな効果を奏する。
【００９６】
手段４１．遊技球の入賞を許容する入賞口を具備してなる複数の入賞手段、流下する遊技球に変化を与えるべく植設された複数の釘及び各種役物が配設された遊技領域を有する着脱可能な遊技盤と、
該遊技盤が配設された内枠と、
該内枠を支持端縁部にて取付部品を介して開閉可能に支持し、遊技機設置場所に固定される略方形枠状の外枠と
を備えた遊技機において、
前記外枠は、上辺部、左辺部、右辺部、及び下辺部を有し、金属製材料を用いて一体成形され、
前記外枠には、前記取付部品を固定するための螺着手段が貫通する貫通孔を形成するとともに、当該貫通孔を、前記螺着手段の外径よりも大きく形成し、
前記内枠は、さらに、
前記遊技盤を着脱可能に係止するための係止手段と、
前記遊技領域を視認可能とするべく透明性を有し、かつ、板状の透視部材を有し、前記内枠に対し開閉可能に支持される扉枠と、
遊技内容全体の制御を司る主基板と、
遊技価値を付与するための払い出し基板と、
前記主基板及び前記払い出し基板を含めて各所へ電力の分配供給を行うと共に、供給電力に異常がある場合に作動するバックアップ機能を有した電源基板と、
背面側に配置される機構盤に取り付けられ、遊技球案内部へ遊技球を案内するために前記支持端縁部から離れるにつれて下方へ傾斜する傾斜底面部を備えたケース状の遊技球貯蔵部と、
前記扉枠の前面側下部において前面側に突出するように配置され、前記発射ユニット側へ遊技球を案内するための傾斜した底面を有し、遊技球を貯留すると共に遊技球を前記発射ユニットへ案内可能な貯留手段と、
を備えていることを特徴とする遊技機。
【００９７】
手段４１によれば、内枠には遊技盤が配設されており、外枠は、この内枠を支持端縁部にて取付部品を介して開閉可能に支持する。外枠は、島と呼ばれる遊技機設置場所に固定される略方形枠状の部材であり、具体的には、上辺部、左辺部、右辺部、及び下辺部とを有し、金属性材料を用いて一体成形されている。
【００９８】
ここで内枠に配設される遊技盤は、遊技球の入賞を許容する入賞口を具備してなる複数の入賞手段、流下する遊技球に変化を与えるべく植設された複数の釘及び各種役物が配設された遊技領域を有しており、内枠に対し着脱可能となっている。このように遊技盤が、複数の入賞手段をはじめ、複数の釘や各種役物を備えているため、遊技盤を取り付けた状態の内枠は相当な重量となる。その結果、取付部品に作用する荷重が大きくなる。
【００９９】
そして内枠はさらに、係止手段、扉枠、主基板、払い出し基板、電源基板、遊技球貯蔵部、貯留手段を備えており、これらの構成によりさらに、内枠を開閉可能に支持するための取付部品に大きな荷重が作用する。以下、これについて説明する。
【０１００】
係止手段は、遊技盤を着脱可能に係止するための手段である。また、扉枠は、遊技領域を視認可能とするべく透明性を有し、かつ、板状の透視部材を有し、内枠に対し開閉可能に支持される。
【０１０１】
主基板は、遊技内容全体の制御を司り、払い出し基板は、遊技価値の付与を行う。もちろん、これらの他に、音声制御基板や表示制御基板などを備える構成であってもよい。
【０１０２】
電源基板は、上述した主基板及び払い出し基板を含めて各所へ電力の分配供給を行うと共に、供給電力に異常がある場合に作動するバックアップ機能を有している。なお、バックアップ機能はコンデンサなどを用いて構成することが考えられる。
【０１０３】
このような係止手段、板状をなす透視部材を有した扉枠、主基板や払い出し基板といった制御基板、そしてバックアップ機能を有した電源基板によって、内枠の重要が大きくなり、結果的に取付部品に作用する荷重が大きくなっている。
【０１０４】
さらにまた、遊技球貯蔵部は、背面側に配置される機構盤に取り付けられるケース状の部材である。遊技球貯蔵部は遊技球を貯留した状態では相当な重量になる。
【０１０５】
貯留手段は、扉枠の前面側下部において前面側に突出するように配置され、発射ユニット側へ遊技球を案内するための傾斜した底面を有し、遊技球を貯留すると共に遊技球を発射ユニットへ案内可能となっている。
【０１０６】
このため、貯留手段は、遊技球を貯留した状態では相当な重量となる。
【０１０７】
以上説明したように、このような構成にあっては内枠を支持するための取付部品には大きな荷重が作用する。
【０１０８】
しかしながら、ここで特に外枠には取付部品を固定するための螺着手段が貫通する貫通孔が形成されているが、当該貫通孔が螺着手段の外径よりも大きくなっている。
【０１０９】
つまり、外枠の貫通孔には雌ねじが形成されていない。したがって、取付部品に作用する荷重や取付部品の交換などによって、外枠の貫通孔が破損する（例えば、貫通孔に雌ねじが形成された場合に、その雌ねじのねじ山のひっかかりが小さくなる）ことがなく、外枠の再使用性が高まる。
【０１１０】
手段４２．遊技球の入賞を許容する入賞口を具備してなる複数の入賞手段、流下する遊技球に変化を与えるべく植設された複数の釘及び各種役物が配設された遊技領域を有する着脱可能な遊技盤と、
該遊技盤が配設された内枠と、
該内枠を支持端縁部にて取付部品を介して開閉可能に支持し、遊技機設置場所に固定される略方形枠状の外枠と
を備えた遊技機において、
前記外枠は、上辺部、左辺部、右辺部、及び下辺部を有し、金属製材料を用いて一体成形され、
前記外枠には、前記取付部品を固定するための螺着手段が貫通する貫通孔を形成するとともに、当該貫通孔を、前記螺着手段の外径よりも大きく形成し、
前記内枠は、さらに、
背面側に配置される機構盤に取り付けられ、遊技球案内部へ遊技球を案内するために前記支持端縁部から離れるにつれて下方へ傾斜する傾斜底面部を備えたケース状の遊技球貯蔵部であって、当該傾斜底面部に連続し、最も下側に位置する最深部が、前記内枠の左右方向における中心位置よりも、前記支持端縁部から離間する側に配置された遊技球貯蔵部と、
前記支持端縁部とは反対側の開閉端縁部近傍の前面側に配置され、遊技に際しては少なくとも遊技者の手からの荷重が加えられる遊技球発射用操作部と、
該遊技球発射用操作部に連結されており、当該開閉端縁部近傍の背面側に配置され、前記遊技球発射用操作部の操作に合わせて遊技球を遊技領域へ発射するための発射用レール及び発射用駆動手段を有する発射ユニットと、
前記扉枠の前面側下部において前面側に突出するように配置され、前記発射ユニット側へ遊技球を案内するための傾斜した底面を有し、遊技球を貯留すると共に遊技球を前記発射ユニットへ案内可能な貯留手段と、
前記支持端縁部とは反対側の開閉端縁部に沿って上下方向に配置され、前記外枠に対する前記内枠の開放及び前記内枠に対する前記扉枠の開放のうち、少なくとも一方を規制するための、金属製で長尺状をなす鍵ユニットと
を備えていることを特徴とする遊技機。
【０１１１】
手段４２によれば、内枠には遊技盤が配設されており、外枠は、この内枠を支持端縁部にて取付部品を介して開閉可能に支持する。外枠は、島と呼ばれる遊技機設置場所に固定される略方形枠状の部材であり、具体的には、上辺部、左辺部、右辺部、及び下辺部とを有し、金属性材料を用いて一体成形されている。
【０１１２】
ここで内枠に配設される遊技盤は、遊技球の入賞を許容する入賞口を具備してなる複数の入賞手段、流下する遊技球に変化を与えるべく植設された複数の釘及び各種役物が配設された遊技領域を有しており、内枠に対し着脱可能となっている。このように遊技盤が、複数の入賞手段をはじめ、複数の釘や各種役物を備えているため、遊技盤を取り付けた状態の内枠は相当な重量となる。その結果、取付部品に作用する荷重が大きくなる。
【０１１３】
そして内枠はさらに、遊技球貯蔵部、遊技球発射用操作部、発射ユニット、貯留手段、鍵ユニットを備えており、これらの構成によりさらに、内枠を開閉可能に支持するための取付部品に大きな荷重が作用する。以下、これについて説明する。
【０１１４】
遊技球貯蔵部は、背面側に配置される機構盤に取り付けられるケース状の部材である。遊技球貯蔵部は遊技球を貯留した状態では相当な重量になる。また、この遊技球貯蔵部は、遊技球案内部へ遊技球を案内するために支持端縁部から離れるにつれて下方へ傾斜する傾斜底面部を備えている。そして、傾斜底面部に連続し最も下側に位置する最深部が内枠の左右方向における中心位置よりも支持端縁部から離間する側に配置されているため、遊技球の貯留された遊技球貯蔵部の重心は、支持端縁部から離間する側、すなわち前面側から見て左寄りになる可能性が高く、内枠を支持するための取付部品に作用する荷重は大きなものとなる。
【０１１５】
また、遊技球発射用操作部は、前記支持端縁部とは反対側の開閉端縁部近傍の前面側に配置されている。また、発射ユニットが、操作部に連結されており、開閉端縁部近傍の背面側に配置され、操作部の操作に合わせて遊技球を遊技領域へ発射するための発射用レール及び発射用駆動手段を有している。
【０１１６】
このように発射ユニットは、発射用レール及び発射用駆動手段を有しているため相当な重量になり、また、遊技球発射用操作部及び発射用ユニットは、開閉端縁部近傍に配置され、前面側から見て右端に位置している。このため、内枠を支持するための取付部品に作用する荷重が大きなものとなる。
【０１１７】
さらにまた、貯留手段は、扉枠の前面側下部において前面側に突出するように配置され、発射ユニット側へ遊技球を案内するための傾斜した底面を有し、遊技球を貯留すると共に遊技球を発射ユニットへ案内可能となっている。
【０１１８】
このため、貯留手段は、遊技球を貯留した状態では相当な重量となる。しかも、貯留手段の底面は、遊技球を発射ユニットへ案内可能とするように傾斜している。したがって、遊技球が貯留された状態においては、発射ユニット側、すなわち前面側から見て右寄りに重心が位置する可能性が高い。その結果、内枠を支持するための取付部品に作用する荷重が大きなものとなる。
【０１１９】
また、鍵ユニットは、金属製で長尺状となしており、支持端縁部とは反対側の開閉端縁部に沿って上下方向に配置され、外枠に対する内枠の開放及び内枠に対する扉枠の開放のうちの少なくとも一方を規制する。このように、鍵ユニットは金属製で長尺状をなす部材であり、しかも、開閉端縁部に沿って上下方向に配置される。つまり、前面側から見て内枠の右端に配置されるのである。したがって、内枠を支持するための取付部品に作用する荷重が大きなものとなる。
【０１２０】
以上説明したように、このような構成にあっては内枠を支持するための取付部品には大きな荷重が作用する。
【０１２１】
しかしながら、ここで特に外枠には取付部品を固定するための螺着手段が貫通する貫通孔が形成されているが、当該貫通孔が螺着手段の外径よりも大きくなっている。
【０１２２】
つまり、外枠の貫通孔には雌ねじが形成されていない。したがって、取付部品に作用する荷重や取付部品の交換などによって、外枠の貫通孔が破損する（例えば、貫通孔に雌ねじが形成された場合に、その雌ねじのねじ山のひっかかりが小さくなる）ことがなく、外枠の再使用性が高まる。
【０１２３】
手段４３．遊技球の入賞を許容する入賞口を具備してなる複数の入賞手段、流下する遊技球に変化を与えるべく植設された複数の釘及び各種役物が配設された遊技領域を有する着脱可能な遊技盤と、
該遊技盤が配設された内枠と、
該内枠を支持端縁部にて取付部品を介して開閉可能に支持し、遊技機設置場所に固定される略方形枠状の外枠と
を備えた遊技機において、
前記外枠は、上辺部、左辺部、右辺部、及び下辺部を有し、金属製材料を用いて一体成形され、
前記外枠には、前記取付部品を固定するための螺着手段が貫通する貫通孔を形成するとともに、当該貫通孔を、前記螺着手段の外径よりも大きく形成し、
前記内枠は、さらに、
前記遊技盤を着脱可能に係止するための係止手段と、
前記遊技領域を視認可能とするべく透明性を有し、かつ、板状の透視部材を有し、前記内枠に対し開閉可能に支持される扉枠と、
遊技内容全体の制御を司る主基板と、
遊技価値を付与するための払い出し基板と、
前記主基板及び前記払い出し基板を含めて各所へ電力の分配供給を行うと共に、供給電力に異常がある場合に作動するバックアップ機能を有した電源基板と、
背面側に配置される機構盤に取り付けられ、遊技球案内部へ遊技球を案内するために前記支持端縁部から離れるにつれて下方へ傾斜する傾斜底面部を備えたケース状の遊技球貯蔵部であって、当該傾斜底面部に連続し、最も下側に位置する最深部が、前記内枠の左右方向における中心位置よりも、前記支持端縁部から離間する側に配置された遊技球貯蔵部と、
前記支持端縁部とは反対側の開閉端縁部近傍の前面側に配置され、遊技に際しては少なくとも遊技者の手からの荷重が加えられる遊技球発射用操作部と、
該遊技球発射用操作部に連結されており、当該開閉端縁部近傍の背面側に配置され、前記遊技球発射用操作部の操作に合わせて遊技球を遊技領域へ発射するための発射用レール及び発射用駆動手段を有する発射ユニットと、
前記扉枠の前面側下部において前面側に突出するように配置され、前記発射ユニット側へ遊技球を案内するための傾斜した底面を有し、遊技球を貯留すると共に遊技球を前記発射ユニットへ案内可能な貯留手段と、
前記支持端縁部とは反対側の開閉端縁部に沿って上下方向に配置され、前記外枠に対する前記内枠の開放及び前記内枠に対する前記扉枠の開放のうち、少なくとも一方を規制するための、金属製で長尺状をなす鍵ユニットと
を備えていることを特徴とする遊技機。
【０１２４】
手段４３によれば、内枠には遊技盤が配設されており、外枠は、この内枠を支持端縁部にて取付部品を介して開閉可能に支持する。外枠は、島と呼ばれる遊技機設置場所に固定される略方形枠状の部材であり、具体的には、上辺部、左辺部、右辺部、及び下辺部とを有し、金属性材料を用いて一体成形されている。
【０１２５】
ここで内枠に配設される遊技盤は、遊技球の入賞を許容する入賞口を具備してなる複数の入賞手段、流下する遊技球に変化を与えるべく植設された複数の釘及び各種役物が配設された遊技領域を有しており、内枠に対し着脱可能となっている。このように遊技盤が、複数の入賞手段をはじめ、複数の釘や各種役物を備えているため、遊技盤を取り付けた状態の内枠は相当な重量となる。その結果、取付部品に作用する荷重が大きくなる。
【０１２６】
そして内枠はさらに、係止手段、扉枠、主基板、払い出し基板、電源基板、遊技球貯蔵部、遊技球発射用操作部、発射ユニット、貯留手段、鍵ユニットを備えており、これらの構成によりさらに、内枠を開閉可能に支持するための取付部品に大きな荷重が作用する。以下、これについて説明する。
【０１２７】
係止手段は、遊技盤を着脱可能に係止するための手段である。また、扉枠は、遊技領域を視認可能とするべく透明性を有し、かつ、板状の透視部材を有し、内枠に対し開閉可能に支持される。
【０１２８】
主基板は、遊技内容全体の制御を司り、払い出し基板は、遊技価値の付与を行う。もちろん、これらの他に、音声制御基板や表示制御基板などを備える構成であってもよい。
【０１２９】
電源基板は、上述した主基板及び払い出し基板を含めて各所へ電力の分配供給を行うと共に、供給電力に異常がある場合に作動するバックアップ機能を有している。なお、バックアップ機能はコンデンサなどを用いて構成することが考えられる。
【０１３０】
このような係止手段、板状をなす透視部材を有した扉枠、主基板や払い出し基板といった制御基板、そしてバックアップ機能を有した電源基板によって、内枠の重要が大きくなり、結果的に取付部品に作用する荷重が大きくなっている。
【０１３１】
さらにまた、遊技球貯蔵部は、背面側に配置される機構盤に取り付けられるケース状の部材である。遊技球貯蔵部は遊技球を貯留した状態では相当な重量になる。また、この遊技球貯蔵部は、遊技球案内部へ遊技球を案内するために支持端縁部から離れるにつれて下方へ傾斜する傾斜底面部を備えている。そして、傾斜底面部に連続し最も下側に位置する最深部が内枠の左右方向における中心位置よりも支持端縁部から離間する側に配置されているため、遊技球の貯留された遊技球貯蔵部の重心は、支持端縁部から離間する側、すなわち前面側から見て左寄りになる可能性が高く、内枠を支持するための取付部品に作用する荷重は大きなものとなる。
【０１３２】
また、遊技球発射用操作部は、前記支持端縁部とは反対側の開閉端縁部近傍の前面側に配置されている。また、発射ユニットが、操作部に連結されており、開閉端縁部近傍の背面側に配置され、操作部の操作に合わせて遊技球を遊技領域へ発射するための発射用レール及び発射用駆動手段を有している。
【０１３３】
このように発射ユニットは、発射用レール及び発射用駆動手段を有しているため相当な重量になり、また、遊技球発射用操作部及び発射用ユニットは、開閉端縁部近傍に配置され、前面側から見て右端に位置している。このため、内枠を支持するための取付部品に作用する荷重が大きなものとなる。
【０１３４】
貯留手段は、扉枠の前面側下部において前面側に突出するように配置され、発射ユニット側へ遊技球を案内するための傾斜した底面を有し、遊技球を貯留すると共に遊技球を発射ユニットへ案内可能となっている。
【０１３５】
このため、貯留手段は、遊技球を貯留した状態では相当な重量となる。しかも、貯留手段の底面は、遊技球を発射ユニットへ案内可能とするように傾斜している。したがって、遊技球が貯留された状態においては、発射ユニット側、すなわち前面側から見て右寄りに重心が位置する可能性が高い。その結果、内枠を支持するための取付部品に作用する荷重が大きなものとなる。
【０１３６】
鍵ユニットは、金属製で長尺状となしており、支持端縁部とは反対側の開閉端縁部に沿って上下方向に配置され、外枠に対する内枠の開放及び内枠に対する扉枠の開放のうちの少なくとも一方を規制する。このように、鍵ユニットは金属製で長尺状をなす部材であり、しかも、開閉端縁部に沿って上下方向に配置される。つまり、前面側から見て内枠の右端に配置されるのである。したがって、内枠を支持するための取付部品に作用する荷重が大きなものとなる。
【０１３７】
以上説明したように、このような構成にあっては内枠を支持するための取付部品には大きな荷重が作用する。
【０１３８】
しかしながら、ここで特に外枠には取付部品を固定するための螺着手段が貫通する貫通孔が形成されているが、当該貫通孔が螺着手段の外径よりも大きくなっている。
【０１３９】
つまり、外枠の貫通孔には雌ねじが形成されていない。したがって、取付部品に作用する荷重や取付部品の交換などによって、外枠の貫通孔が破損する（例えば、貫通孔に雌ねじが形成された場合に、その雌ねじのねじ山のひっかかりが小さくなる）ことがなく、外枠の再使用性が高まる。
【０１４０】
手段４４．手段１０乃至４３のいずれかにおいて、前記外枠に設けられた取付部に前記貫通孔が形成されており、
前記取付部品の中には、前記貫通孔を貫通する螺着手段によって、前記取付部を挟み込むようにして前記外枠に固定されるものが含まれていることを特徴とする遊技機。
【０１４１】
手段４４によれば、外枠に設けられた取付部に取付部品を固定するための貫通孔が形成されている。そして、取付部品の中に、貫通孔を貫通する螺着手段により、取付部を挟み込むようにして外枠に固定されるものが含まれている。例えば、螺着手段に対応するナットや雌ねじの形成された止め板具などを用いて取付部を挟み込んで固定するという具合である。したがって、取付部品に作用する荷重や取付部品の交換などによって、外枠の貫通孔が破損することがなく、外枠の再使用性が高まる。
【０１４２】
手段４５．手段４４において、前記取付部を挟み込むようにして固定される取付部品は、前記内枠を開閉可能に支持するためのヒンジであることを特徴とする遊技機。
【０１４３】
取付部を挟み込むようにして固定される取付部品は、例えば手段４５に示すように、内枠を開閉可能に支持するためのヒンジであることが考えられる。このようにすれば、内枠の荷重がヒンジに作用しても、外枠の取付部に設けられた貫通孔を破損する可能性が少なくなり、外枠の再使用性が高まる。
【０１４４】
手段４６．手段４４又は４５において、前記取付部を挟み込むようにして取り付けられる取付部品は、前記内枠に取り付けられる鍵ユニットに係合し、当該内枠の開放を規制する鍵受け具であることを特徴とする遊技機。
【０１４５】
取付部を挟み込むようにして固定される取付部品は、例えば手段４６に示すように、内枠に取り付けられる鍵ユニットに係合し、当該内枠の開放を規制する鍵受け具であることが考えられる。このようにすれば、鍵ユニットとの係合により鍵受け具に荷重が作用しても、外枠の取付部に設けられた貫通孔を破損する可能性が少なくなり、外枠の再使用性が高まる。
【０１４６】
手段４７．手段４６において、前記鍵受け具は、所定方向に長い長孔としての貫通孔を介して固定されることにより、前記所定方向における固定位置を調節可能になっていることを特徴とする遊技機。
【０１４７】
手段４７によれば、鍵受け具は所定方向に長い長孔としての貫通孔を介して固定され、所定方向における固定位置を調節可能になっている。したがって、内枠に取り付けられる鍵ユニットの位置に合わせて、鍵受け具を取り付けることができ、外枠の再使用性が高まる。
【０１４８】
なお、外枠に対して上下方向に鍵ユニットの位置が変わる場合が一般的であるため、「前記鍵受け具は、上下方向に長い長孔としての貫通孔を介して固定されることにより、前記上下方向における固定位置を調節可能になっていること」としてもよい。
【０１４９】
手段４８．手段４４乃至４７のいずれかにおいて、前記外枠には前記遊技機設置場所に設置固定するための固定孔が設けられていることを特徴とする遊技機。
【０１５０】
手段４８によれば、遊技機設置場所に設置固定するための固定孔が設けられているため、遊技機設置場所への設定固定が簡単になる。
【０１５１】
手段４９．手段４８において、前記外枠には、前記固定孔を貫通する釘によって前記遊技機設置場所に設置固定可能となるように、前記釘の径に合わせて前記固定孔が形成されていることを特徴とする遊技機。
【０１５２】
手段４９によれば、外枠には、上述した固定孔を貫通する釘によって遊技機設置場所に設置固定可能となるように、釘の径に合わせて固定孔が形成されているため、遊技機設置場所への設置固定が簡単になる。
【０１５３】
手段５０．手段４９において、前記固定孔は、前記釘の径よりも僅かに大きくなっていることを特徴とする遊技機。
【０１５４】
手段５０によれば、釘の貫通する固定孔が釘の径よりも僅かに大きくなっている。この場合、釘を最後まで打ち込むことによって外枠を遊技機設置場所に対し設置固定するという具合である。このようにすれば、打ち込まれる釘によって固定孔が広げられるようなことがないため、外枠を破損させることがなく、外枠の再使用性を高めることができる。
【０１５５】
手段５１．手段５０において、前記固定孔は、前記釘の径よりも僅かに小さくなっていることを特徴とする遊技機。
【０１５６】
手段５１によれば、釘の貫通する固定孔が釘の径よりも僅かに小さくなっている。この場合、釘を最後まで打ち込まずとも、外枠を遊技機設置場所に対し設置固定することが可能となり、遊技機設置場所への設置固定が簡単になる。
【０１５７】
手段５２．手段４４乃至５１のいずれかにおいて、前記外枠の下方部には前面下方部を覆うカバー部材を固定するための嵌合部が設けられており、
前記カバー部材の被嵌合部との嵌合により、前記カバー部材が取り付けられるよう構成されていることを特徴とする遊技機。
【０１５８】
通常、外枠の下方部には、幕板飾りと呼ばれるカバー部材が取り付けられるのが一般的である。この点、手段５２によれば、外枠の下方部に設けられた嵌合部とカバー部材の被嵌合部とが嵌合するように構成されているため、カバー部材を容易に取り外しでき、外枠に雌ねじを形成する必要がないため、外枠の生産性を向上させることができる。また、カバー部材を容易に取り外しできるため、内枠の色や模様などに合わせて幕板を飾ることができる。
【０１５９】
手段５３．手段５２において、前記取付部品の中には、前記カバー部材に固定されるものが含まれていることを特徴とする遊技機。
【０１６０】
手段５３によれば、取付部品の中に、上述したカバー部材に固定されるものが含まれている。つまり、このような取付部品は、外枠に直接的に固定されないのである。したがって、外枠に固定のための加工を施す必要がなく、外枠の生産性を向上させることができる。また、外枠の再使用性を高めることができる。
【０１６１】
手段５４．手段５３において、前記カバー部材に固定される取付部品は、前記内枠の開閉を容易にするよう前記内枠の下端部を摺動可能に支持する支持部材であることを特徴とする遊技機。
【０１６２】
カバー部材に固定される取付部品は、例えば手段５４に示すように、内枠の下端部を摺動可能に支持する支持部材であることが考えられる。このようにすれば、内枠の荷重が支持部材に作用しても、カバー部材に荷重が分散されるため、外枠を破損する可能性が小さくなる。その結果、外枠の再使用性が高まる。
【０１６３】
手段５５．手段４４乃至５４のいずれかにおいて、前記外枠は、金属製であることを特徴とする遊技機。
【０１６４】
手段５５によれば、外枠が金属製であるため、例えば木製である場合に比べ、耐久年数が長くなり、外枠の再使用性が高まる。また、金属製とすれば、比較的肉薄にできるため、外枠の内側空間を有効利用できる。
【０１６５】
手段５６．手段５５において、前記金属に、アルミニウム合金を採用したことを特徴とする遊技機。
【０１６６】
手段５６では外枠をアルミニウム合金で構成したため、耐久年数が長くなることに加え、木製にした場合と比べ、同様の強度を有する外枠であっても、その重量が小さくなり、設置固定などの作業性が向上する点で有利である。
【０１６７】
手段５７．遊技球の入賞を許容する入賞口を具備してなる複数の入賞手段、流下する遊技球に変化を与えるべく植設された複数の釘及び各種役物が配設された遊技領域を有する着脱可能な遊技盤と、
該遊技盤が配設された内枠と、
該内枠を支持端縁部にて取付部品を介して開閉可能に支持し、遊技機設置場所に固定される略方形枠状の外枠と
を備えた遊技機において、
前記外枠は、上辺部、左辺部、右辺部、及び下辺部を有し、金属製材料を用いて一体成形され、
前記外枠には、螺着手段が貫通する貫通孔を形成するとともに当該貫通孔を前記螺着手段の外径よりも大きく形成し、かつ、当該貫通孔に対応させ、前記螺着手段が締結される雌ねじの形成された取付部品及び止め板具の少なくとも一方を収容可能な凹部を外側面に形成したことを特徴とする遊技機。
【０１６８】
手段５７によれば、当該貫通孔に対応させ、雌ねじの形成された取付部品及び止め板具の少なくとも一方を収容可能な凹部を外側面に形成したため、取付部品・止め板具の取付が簡単になる。そして、上述のような内枠側の各種部材の重量が作用して取付部品に破損を生じた場合でも、取付部品の交換が容易になる。
【０１６９】
手段５８．手段１乃至５７のいずれかにおいて、前記遊技機はパチンコ機であること。中でも、パチンコ機の基本構成としては、「操作部（例えばハンドルなど）を備えておりその操作に応じて遊技球を遊技盤面上に発射させ、遊技球が遊技盤を流下し、遊技盤に配設された特定の入球手段に入球することに基づいて、所定条件が成立した場合には特別遊技価値が付与されるもの」が挙げられる。
【０１７０】
手段５９．手段１乃至９のいずれかにおいて、遊技機は、回胴式遊技機であること。ここで、回胴式遊技機の構成としては、「複数の識別情報からなる識別情報列を変動表示した後に識別情報を確定表示する可変表示手段を備え、始動用操作手段の操作に起因して識別情報の変動が開始され、停止用操作手段の操作に起因してあるいは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。回胴式遊技機では、筐体状の外形構成部を備えており、可変表示手段としてのリールなどが内部に配置され、始動用操作手段や停止用操作手段が取り付けられた遊技構成部としての扉体が開閉可能に支持されるのが一般的である。
【０１７１】
手段６０．手段１乃至９のいずれかにおいて、遊技機は、パチンコ機とスロットマシンとを融合させた遊技機であること。中でも、前記融合させた遊技機の基本構成としては、「複数の識別情報からなる識別情報列を変動表示した後に識別情報を確定表示する可変表示手段を備え、始動用操作手段の操作に起因して識別情報の変動が開始され、停止用操作手段の操作に起因してあるいは所定時間経過することにより識別情報の変動が停止され、その停止時の確定識別情報が特定識別情報であることを必要条件として遊技者に有利な特別遊技状態を発生させる特別遊技状態発生手段を備え、遊技媒体として遊技球を使用するとともに、前記特別遊技状態発生手段にて特別遊技状態が発生させられると、多くの遊技球が払い出されるよう構成されてなる遊技機」となる。このような融合機では、例えば枠状の外形構成部を備えており、可変表示手段としてのリールなどが内部に配置され、始動用操作手段や停止用操作手段が取り付けられた遊技構成部としての扉体が開閉可能に支持されるのが一般的である。
【０１７２】
【発明の実施の形態】
以下、パチンコ遊技機（以下、単に「パチンコ機」という）の一実施の形態を、図面に基づいて詳細に説明する。
【０１７３】
図１に示すように、パチンコ機１は、外枠２と、該外枠２の前部に設けられ外枠２の一側部にて開閉可能に支持された前面枠３とを備えている。ここでいう外枠２が上述した「外枠」及び「外形構成部」に相当し、前面枠３が「内枠」及び「遊技構成部」に相当する。
【０１７４】
前面枠３の前面側にはガラス扉枠４が開閉自在に設けられている。前面枠３の後側（ガラス扉枠４の奥、外枠２の内側）には、遊技盤５が着脱可能に装着されている。なお、ガラス扉枠４には、４５３×４３０ｍｍの大型ガラスが用いられている。
【０１７５】
ガラス扉枠４の下方には、遊技球Ｂを貯留するための球受皿としての上皿６が設けられている。また、前面枠３の前面下部には、ほぼ中央部において球受皿としての下皿７が設けられている。上皿６及び下皿７は、十分な遊技球を貯留できる大型のものであり、「貯留手段」に相当する。下皿７の側方には、「遊技球発射用操作部」としての遊技球発射用ハンドル８が設けられている。ハンドル８は遊技球発射装置８７（図３参照）に連結されており、遊技者がハンドル８を回転させることにより、遊技球Ｂが遊技球発射装置８７から発射される。ハンドル８及び遊技球発射装置８７が「発射ユニット」に相当する。
【０１７６】
さらに外枠２の下方、下皿７およびハンドル８の下方には、樹脂製の幕板飾り４１が取り付けられている。この幕板飾り４１が「カバー部材」に相当する。
【０１７７】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【０１７８】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【０１７９】
さて、可変表示装置１４は、液晶表示部２０と、該液晶表示部２０を囲むように設けられたセンターフレーム２１とを備えている。
【０１８０】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。液晶表示部２０は、遊技の興趣を高めるように８インチの大型ディスプレイが採用されている。したがって、遊技領域を大きくとるために、遊技盤５自体も大型のものを採用している。
【０１８１】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【０１８２】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、風車等の各種部材（役物）が配設されている。
【０１８３】
図２及び図３は、外枠２に開閉可能に支持された前面枠３が、開放された様子を示す斜視図である。
【０１８４】
上述した遊技盤５の背面側には、樹脂材料で形成された機構盤８１が、前面枠３に支持されている。機構盤８１には、「遊技球貯蔵部」としてのタンク８２、「遊技球案内部」としてのタンクレール８３、払出ユニット８４、役物カバー８５などが取り付けられている。
【０１８５】
タンク８２は、機構盤８１の最上部に取り付けられており、払い出される遊技球Ｂを貯留する。タンクレール８３は、タンク８１の下方に取り付けられ、長尺形状のレールが右側方向へ右下がりに延びており、払い出しユニット８４のほうへ遊技球Ｂを誘導する。タンク８２及びタンクレール８３は、併せて８００個弱の遊技球Ｂが貯留できる大型のものであり、遊技球Ｂが貯留された状態にあっては、タンク８２及びタンクレール８３の重心位置は、背面側から見て左寄りとなっている。
【０１８６】
払出ユニット８４は、遊技球Ｂの払い出しを行うための機構であり、賞球と貸球の払い出しを行うものである。役物カバー８５は、タンクレール８２の下方に取り付けられる四角形状の樹脂製カバーであり、遊技盤５の背面に取り付けられた各種基板等を保護する。また、機構盤８１には、パチンコ機１全体の制御を司る主基板をはじめとする各種基板８６が取り付けられている。具体的には、コンデンサを有するバックアップ機能付きの電源基板８６ａ、パチンコ機１全体の制御を司る主基板８６ｂ、発射制御基板８６ｃ、さらに、図示しないランプ制御基板、表示制御基板、音声制御基板などを備えている。
【０１８７】
さらにまた、前面枠３の背面側の一側部（外枠２に支持される側の反対側）には、「鍵ユニット」としてのスライド錠９１が設けられている。スライド錠９１は上下方向に２つの鍵部９２を有している。そして、背面側へ突出する鍵部９２が、後述するように外枠２に固定される爪馬６１（図５参照）に係合して、前面枠３の開放が規制される構造となっている。この爪馬６１が「鍵受け具」に相当する。スライド錠９１の下方には、上述した遊技球発射装置８７が配設されている。
【０１８８】
さて、本実施の形態では、前面枠３を支持する外枠２に特徴がある。そこで次に、前面枠３を開閉可能に支持する外枠２の構成について説明する。図４及び図５は、前面枠３を取り外した外枠２の斜視図である。図４は、前面側から見たものであり、図５は、背面側から見たものである。
【０１８９】
外枠２は、アルミニウム合金製の部材であり、ダイキャストにより一体成形されている。また、外枠２には全体に、化成皮膜処理の中の「クロム酸塩被膜法」によって処理が施されている。この被膜処理によって、表面の酸化などを防止でき、耐久性が向上する。外枠２は、上壁部２ａと、左側壁部２ｂと、右側壁部２ｃと、下壁部２ｄとを備えた略方形枠状に成形されている。
【０１９０】
外枠２の上壁部２ａは、中央部分における前後方向の幅が側端部よりも狭くなっている。これは、外枠２が一定の強度を有するものであればよいためであり、軽量化を図る構造である。また、同時に、上部から遊技球を補給するための構造でもある。左側壁部２ｂ及び右側壁部２ｃは、上壁部２ａの左右方向の端部に略垂直に連結されている。そして、左側壁部２ｂ及び右側壁部２ｃの他方の端部を連結するのが、下壁部２ｄである。なお、上壁部２ａ、左側壁部２ｂ、及び右側壁部２ｃの背面側端縁部には、内側方向へ突出する補強部３４が一体形成されている（図５参照）。
【０１９１】
この外枠２には、上述した前面枠３を支持するため、上ヒンジ５１、下ヒンジ５２、２つの爪馬６１、及び滑り部材７１が固定されている（図４，５参照）。これらが上述した「取付部品」に相当し、以下適宜、これらをまとめて取付部品と称する。これら取付部品には、アルミニウム合金製の外枠２に比べて剛性の高いＳＰＨＣが採用されている。なお、上ヒンジ５１及び下ヒンジ５２が「ヒンジ」に相当し、滑り部材７１が「支持部材」に相当する。
【０１９２】
上ヒンジ５１は、上壁部２ａの左方端部に形成された取付部３１に固定される（図４参照）。また、下ヒンジ５２は、左側壁部２ｂの下方に形成される取付部３８に固定される（図４参照）。爪馬６１は、右側壁部２ｃの内側に形成される取付部３２に固定され（図５参照）、滑り部材７１は、外枠２に対して取り付けられる幕板飾り４１に固定される（図４参照）。そして、上ヒンジ５１及び下ヒンジ５２が、上述した前面枠３の左方側端部（「支持端縁部」）を上下方向から開閉可能に支持する。また、爪馬６１は、上述したように、鍵部９２に係合して前面枠３の開放を規制する。さらに、滑り部材７１は、前面枠３の下端部を摺動可能に支持する。
【０１９３】
次に、図６及び図７を参照して、各取付部品の取付構造について説明する。なお、図６は、図４に対応する分解斜視図であり、図７は、図５に対応する分解斜視図である。
【０１９４】
上ヒンジ５１が上壁部２ａの左方端部に形成された取付部３１に固定されることは既に述べた。このとき、図６に示すように、取付部３１に形成された貫通孔３１ａを貫通する「螺着手段」としての２本の固定用ねじ５３と、対応する雌ねじの形成された止め板具５４とで、取付部３１を挟み込むようにして固定される。すなわち、貫通孔３１ａには雌ねじが形成されておらず、貫通孔３１ａは、固定用ねじ５３の外径よりも大きくなっている。
【０１９５】
下ヒンジ５２は、左側壁部２ｂの下方に形成された取付部３８に固定される。後述するように外枠２の下方には幕板部３３が形成されているため、取付部３８は、この幕板部３３の端部直上方に位置することになる。
【０１９６】
取付部３８は、取付面を前面側に有する背面側壁部３４ａを備えている。背面側壁部３４ａは、左側壁部２ｂの前後方向のほぼ中央に形成されており、上述した補強部３４が背面側壁部３４ａに連続するように突設されている。この背面側壁部３４ａには、２つの貫通孔３８ａが形成されている。一方、この貫通孔とほぼ同じ高さとなるように左側壁部２ｂにも、貫通孔３８ａが形成されている。
【０１９７】
これによって、下ヒンジ５２は、背面側から２本の固定用ねじ５５によって、また、左側面側から１本の固定用ねじ５５によって固定される。このとき、下ヒンジ５２の対応する位置に雌ねじが形成されており、貫通孔３８ａはすべて、固定用ねじ５５の外径よりも大きくなっている。したがって、取付部３８が、詳しくは左側壁部２ｂ及び背面側壁部３４ａが、固定用ねじ５５と下ヒンジ５２に挟み込まれて、下ヒンジ５２が外枠２に固定される。
【０１９８】
爪馬６１は、右側壁部２ｃの内側に形成されている取付部３２に固定される（図７参照）。ここで取付部３２は、右側壁部２ｃの上端部と中央部とのほぼ中間位置に１つ、下端部と中央部とのほぼ中間位置に１つの計２つが形成されている。取付部３２は、爪馬６１の脚部６１ｂに前後方向から挟み込まれる形状となっており、前後方向に貫通する貫通孔３２ａを有している。
【０１９９】
一方、爪馬６１は、方形形状の上面部６１ａと、上面部６１ａの対向する端縁部から略垂直に折り曲げた脚部６１ｂと、上面部６１ａの中央部分を切り起こし、脚部６１ｂと反対側へ折り曲げた突出部６１ｃとを有している。爪馬６１は、上述した貫通孔３２ａを貫通する固定用ねじ６２によって固定されるのであるが、貫通孔３２ａは固定用ねじ６２の外径よりも大きくなっており、背面側に位置する爪馬６１の脚部６１ｂに雌ねじが形成されている。
【０２００】
したがって、固定用ねじ６２の作用により、２つの脚部６１ｂによって取付部３２が挟み込まれて、爪馬６１が外枠２に固定される。なお、突出部６１ｃに対し、前面枠３の鍵部９２が係合することになる。
【０２０１】
以上から分かるように、本実施の形態においては、固定用ねじ５３，５５，６２は、外枠２の上下左右方向の外側から、あるいは、前後方向からねじ止め可能な構成となっている。つまり、固定用ねじ５３，５５，６２による締結作業において、外枠２自体が邪魔になるようなことがない。これにより、組み付け作業の効率が上がり、生産性の向上に寄与する。
【０２０２】
下壁部２ｄの直上方（内側）には、幕板部３３が形成されている。幕板部３３は、下壁部２ｄの内側面上に形成された下板部３３ａと、当該下板部３３ａと所定距離をおいて平行に形成された上板部３３ｂと、下板部３３ａと上板部３３ｂとを連結する左右仕切板部３３ｃ及び前後仕切板部３３ｄとを有している。左右仕切板部３３ｃは、左右方向における両端を含む適宜位置に計６つが形成されている。また、前後仕切板部３３ｄは、下板部３３ａ及び上板部３３ｂの前後方向のほぼ中央に形成されている。
【０２０３】
このような幕板部３３は、下壁部２ｄの前面側端部よりも、前面側へ突出するように形成されている。そして、この幕板部３３に固定されるのが、樹脂製の幕板飾り４１である。幕板飾り４１は、凹凸によって模様が付けられた前面部４１ａと（図１〜図３では、凹凸模様は省略した）、幕板部３３の上板部３３ｂを覆う上面部４１ｂと、幕板部３３の下板部３３ａを覆う下面部４１ｃと、左右方向における両端の左右仕切板部３３ｃを覆う側面部４１ｄとを有している。なお、前面部４１ａの裏側には、補強のための張り出し部４１ｅが形成されている。これに対応させ、幕板部３３の上板部３３ｂ、下板部３３ａ、及び左右仕切板部３３ｃには切り欠きが形成されている。また、本実施の形態では前面部４１ａに凹凸による模様が付されていたが、平坦面で構成してもよい。
【０２０４】
そして、幕板部３３の上板部３３ｂの上面及び下板部３３ａの下面には、それぞれ２カ所に「嵌合部」としての突起爪３５が形成されている。一方、これらに対応させて、幕板飾り４１の上面部４１ｂ及び下面部４１ｃには、「被嵌合部」としての方形孔４２が形成されている。
【０２０５】
これにより、幕板飾りを前面側からはめ込むことにより、幕板部３３の突起爪３５と幕板飾り４１の方形孔４２とが嵌合して、幕板飾り４１が幕板部３３に固定される。なお、幕板飾り４１の上面部４１ｂには方形孔４２の後方に切り欠き部４３が形成されており、一方、外枠２の下壁部２ｄには溝３９が形成されている。したがって、この切り欠き部４３や溝３９からドライバなどを差し込んで嵌合状態を解除し、幕板飾り４１を幕板部３３から容易に取り外すことができる。
【０２０６】
さらに、幕板飾り４１の上面部４１ｂには、雌ねじが形成されたボス４４が設けられている。そして、下滑り７１が固定用ねじ７２によって幕板飾り４１に固定される。
【０２０７】
ところで、外枠２は遊技機設置場所に対して所定の傾斜量を有するように設置固定される。これは、遊技領域を流下する遊技球の速度を遅くして、遊技者に遊技球に対する入賞の期待を抱かせたり、ガラス扉枠４に設けられるガラスに遊技球Ｂが頻繁に当たるのを防止するためである。そこで、下壁部２ｄの下面は、所定の傾斜を有するように成形されている。具体的には、平坦面に外枠２を置いたときに、その上下方向が鉛直方向に対して約１度の角度をなすように傾斜がつけられている。なお、外枠２の輸送時やホール設置時には、この下壁部２ｄの下面の傾斜によって、外枠２が倒れやすくなるおそれがある。そこで、この場合、クリップ状の支持部品を背面側より下壁部２ｄを挟み込むようにとりつける。これによって、外枠２が鉛直に支持されるため、輸送時やホール設置時に外枠２が倒れることを防止できる。
【０２０８】
次に、本実施の形態のパチンコ機１の発揮する効果を説明する。
【０２０９】
上述したように、本実施の形態では、前面枠３の重量が重くなっており、また、前面側から見て、前面枠３の右寄りに重心が存在している。
【０２１０】
重量を増加させる原因としては、ガラス扉枠４に、４５３×４３０ｍｍといった従来よりも大型のガラスが用いられていること、上皿６及び下皿７が十分な遊技球を貯留可能な大型のものであること、液晶表示部２０に８インチの大型ディスプレイを採用し、遊技領域を大きくとるために遊技盤５を大型化していること、タンク８２及びタンクレール８３に、併せて８００個弱の遊技球Ｂを貯留可能としたこと、コンデンサを有するバックアップ機能付き電源基板８６ａや、主基板８６ｂ、発射制御基板８６ｃなど複数の制御基板を備えていること、前面枠３に装飾用発光ダイオードが多数配置されること、などが挙げられる。なお、本実施の形態では特に言及していないが、上皿６などにも遊技の興趣を向上させる目的で装飾用発光ダイオードを多数配置することが考えられる。
【０２１１】
一方、前面枠３の右寄りに重心が存在する理由は、スライド錠９１やハンドル８及び遊技球発射装置８７、さらに、上述したタンク８２などが右寄りに配置されるからである。また、本実施の形態では特に言及していないが、玉詰まり防止のための振動発生機構（バイブレータ）なども右寄りに配置されることが考えられる。
【０２１２】
これらのことから、前面枠３を開閉可能に支持するための取付部品には、本実施の形態では特に、大きな荷重が作用することになる。
【０２１３】
これに対し、本実施の形態では、上ヒンジ５１を固定する取付部３１、下ヒンジ５２を固定する取付部３８、及び、爪馬６１を固定する取付部３２に形成される貫通孔３１ａ，３８ａ，３２ａは、固定用ねじ５３，５５，６２の外径よりも大きくなっている。つまり、貫通孔３１ａ，３８ａ，３２ａには、雌ねじが形成されていない。そして、これらの取付部品は、取付部３１，３８，３２を挟み込むようにして固定される。したがって、取付部品に作用する荷重や取付部品の交換などによって、外枠２の貫通孔３１ａ，３８ａ，３２ａが破損する（例えば貫通孔に雌ねじが形成された場合に、その雌ねじのねじ山のひっかかりが小さくなる）ことがなく、外枠２の再使用性が高まる。
【０２１４】
例えば上ヒンジ５１や下ヒンジ５２には、機構盤８１などが一体化された前面枠３の荷重が作用するが、取付部３１，３８に設けられた貫通孔３１ａ，３８ａを破損する可能性が小さくなる。また例えば、爪馬６１に鍵部９２が係合した状態で作業者が前面枠３を開放しようとすれば、予期せぬ荷重が爪馬６１に作用する。しかしこのときも、取付部３２に設けられた貫通孔３２ａを破損する可能性が小さくなる。
【０２１５】
また、本実施の形態では、幕板部３３の上板部３３ｂ及び下板部３３ａには突起爪３５が形成されており、一方、これらに対応させて、幕板飾り４１の上面部４１ｂ及び下面部４１ｃに方形孔４２が形成されている。そして、幕板飾りを前面側からはめ込むことにより、幕板部３３の突起爪３５と幕板飾り４１の方形孔４２とが嵌合して、幕板飾り４１が幕板部３３に固定される。これによって、幕板飾りを容易に取り付けることができ、外枠２に雌ねじを形成する必要がないため、外枠２の生産性を向上させることができる。
【０２１６】
さらに、幕板飾り４１の上面部４１ｂには、雌ねじが形成されたボス４４が設けられている。そして、下滑り７１が固定用ねじ７２によって幕板飾り４１に固定される。つまり、下滑り７１は、外枠２に直接的に固定されないため、外枠２に加工を施す必要がない。しかも、下滑り７１が前面枠３の下端部を支持するため、前面枠３の荷重が幕板飾り４１に分散されて、外枠２を破損する可能性が小さくなる。その結果、外枠２の再使用性が高まる。
【０２１７】
さらにまた、外枠２にアルミニウム合金を用いているため、耐久年数が長くなることに加え、木製にした場合と比べ、同様の強度を有する外枠２であっても、その重量が小さくなり、作業性が向上する点で有利である。また、外枠２が肉薄になるため、外枠２の内部空間を有効利用できる。この点、従来の木製の外枠では、内部空間を有効利用するためにルータ加工を施す必要があったが、本実施の形態では、外枠２が比較的肉薄になるためルータ加工が必要なくなる。
【０２１８】
また、金属製（アルミニウム製）の外枠２を用いたことにより、次に示すような種々の効果が得られる。
【０２１９】
例えば、外枠を木製にした場合、その材料となる木材自体の供給が間に合わないといった事実上の問題や、木材の伐採による環境破壊といった環境上の問題もあった。本実施の形態によれば、このような問題さえも解決することができる。
【０２２０】
また例えば、木製にした場合、一体成形でないため、接続部にがたつきが発生するおそれがあった。これは接続部の公差が組合わさるためである。これに対して、本実施の形態では一体成形を行うため、公差が組み合わされることがなく、接続部にがたつきが発生することがない。しかも、木製にした場合は、組み合わされる外枠の各部を別個に管理する必要があり、在庫管理が困難になるおそれがあった。これに対し、本実施の形態では、一体成形するため、在庫管理が容易になるという点で有利である。
【０２２１】
例えば、木製の外枠の場合、電源基板などからアース線を引き出し、これによってパチンコ機をアースしていた。これに対し、本実施の形態では、外枠２自体にアース機能を持たせることも可能である。
【０２２２】
また例えば、アルミニウム製としたことにより、材料の再利用（リサイクル）が可能となるといった効果がある。
【０２２３】
なお、上述した実施の形態の記載内容に限定されることなく、例えば次のように実施してもよい。
【０２２４】
（ａ）上記実施の形態では特に言及していなかったが、爪馬６１の固定される取付部３２の貫通孔３２ａを所定方向（例えば、上下方向）に長い長孔としてもよい。これによって、爪馬６１の所定方向における固定位置を調節することができる。すなわち、前面枠３の鍵部９２の位置に合わせて、爪馬６１を固定することができる。その結果、外枠２の再使用性が高まる。
【０２２５】
（ｂ）また、遊技機設置場所に設置固定するための固定孔を、外枠に形成しておくことも考えられる。上記実施の形態では、例えば外枠２の上壁部２ａや下壁部２ｄに固定孔を形成することが考えられる。この固定孔は、釘を打ち込むための釘穴とするという具合である。このようにすれば、遊技機設置場所への設置固定が簡単になるという点で有利である。
【０２２６】
釘穴である場合には、固定孔を釘の径よりも僅かに大きくしておくことが考えられる。また、釘の径よりも僅かに小さくしておくことが考えられる。前者の構成を採用した場合には、釘を最後まで打ち込むことによって外枠を遊技機設置場所に対し設置固定するという具合である。このようにすれば、打ち込まれる釘によって固定孔が広げられるようなことがないため、外枠を破損させることがなく、外枠の再使用性を高めることができる。一方、後者の構成を採用した場合には、釘を最後まで打ち込まずとも、外枠を遊技機設置場所に対し設置固定することが可能となり、遊技機設置場所への設置固定が簡単になる。
【０２２７】
（ｃ）本実施の形態の外枠２には「クロム酸塩被膜法」によって処理を施していたが、同様の効果を有するものとして、アルマイト処理を施してもよい。アルマイト処理によれば、処理を施した表面の美観を損なわない。ただし、「クロム酸塩被膜法」による処理に比べて高価となるため、外枠２の表面が直接的に遊技者の目にふれないような上記実施の形態の構成が効果を奏し、安価である「クロム酸塩被膜法」による処理で十分となる。
【０２２８】
（ｄ）もちろん、上記実施の形態とは異なるタイプのパチンコ機に適用してもよい。従って、可変表示装置１４のないパチンコ機にも応用できる。また、本発明は、パチンコ機以外にも雀球、アレンジボール等の遊技機にも応用可能である。さらに、スロットマシン、パチンコ機とスロットマシンとが融合した遊技機等の各種遊技機として実施することも可能である。
【０２２９】
なお、スロットマシンは、例えばメダルを投入して図柄有効ラインを決定させた状態で操作レバーを操作することにより図柄が変動され、ストップボタンを操作することにより図柄が停止されて確定される周知のものである。この場合、筐体内部に、可変表示手段としてのリールなどが配置され、操作レバーやストップボタンが取り付けられた扉体が開閉可能に支持されるのが一般的である。したがって、筐体が「外形構成部」に相当し、扉体が「遊技構成部」に相当する。
【０２３０】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。この場合も、スロットマシンと同様、筐体内部に、可変表示手段としてのリールなどが配置され、操作レバーやストップボタンが取り付けられた扉体が開閉可能に支持されるのが一般的である。したがって、筐体が「外形構成部」に相当し、扉体が「遊技構成部」に相当する。
【図面の簡単な説明】
【図１】一実施の形態におけるパチンコ機を示す正面図である。
【図２】外枠に対して前面枠が開放された様子を示す斜視図である。
【図３】外枠に対して前面枠が開放された様子を示す斜視図である。
【図４】前面枠を取り外した外枠を前面側から見た斜視図である。
【図５】前面枠を取り外した外枠を背面側から見た斜視図である。
【図６】図４に対応する分解斜視図である。
【図７】図５に対応する分解斜視図である。
【符号の説明】
１…遊技機としてのパチンコ機、２…外枠、２ａ…上壁部、２ｂ…左側壁部、２ｃ…右側壁部、２ｄ…下壁部、３…前面枠、５…遊技盤、６…上皿、７…下皿、８…ハンドル、２０…液晶表示部、３１，３２，３８…取付部、３１ａ，３２ａ，３８ａ…貫通孔、３３…幕板部、３４…補強部、３４ａ…背面側壁部、３５…突起爪、３９…溝、４１…幕板飾り、４２…方形孔、４３…切り欠き部、４４…ボス、５１…上ヒンジ、５２…下ヒンジ、５３，５５，６２，７２…固定用ねじ、５４…止め板具、６１…爪馬、７１…下滑り、８２…タンク、８３…タンクレール、８６…基板、８７…発射装置、９１…スライド錠。
【図１】
2004344457.tif 000003
【図２】
2004344457.tif 000004
【図３】
2004344457.tif 000005
【図４】
2004344457.tif 000006
【図５】
2004344457.tif 000007
【図６】
2004344457.tif 000008
【図７】
2004344457.tif 000009